(57)【要約】【課題】補強絶縁層によるケーブルコアの拘束を好適に維持することができる電力ケーブル接続部を実現する。【解決手段】２本の電力ケーブル１０の中心導体１１同士を接続した導体接続部（導体接続層１、接続部半導電層２）の周囲を覆う補強絶縁層３の両端部に接する位置にて、ケーブルコアに自己融着性を有するテープ材料を巻き付けてなる拘束層４を形成し、その拘束層４の外周面に取り付けた円筒構造物５を締付け具６によってケーブルコアの軸心に向けて締め付けるようにして、対を成す拘束層４によって補強絶縁層３を両側から強固に拘束することで、補強絶縁層３がケーブルコアの軸方向にずれてしまうことを防止し、その補強絶縁層３によってケーブルコアを拘束した状態を好適に維持することを可能にした。【選択図】図１
2015216807.tif 000002
【特許請求の範囲】
【請求項１】
２本の電力ケーブルの導体同士を接続した導体接続部の周囲を覆い、前記電力ケーブルのケーブルコアよりも外径を大きく形成した補強絶縁層と、
前記補強絶縁層の両側の端部に接する位置に、それぞれの端部と略同じ外径になるように自己融着性を有するテープ材料を前記ケーブルコアに巻いて形成した拘束層と、
前記拘束層の外周面に、複数の円弧帯状部材を組み付けてなる円筒構造体と、
前記円筒構造体を前記ケーブルコアの軸心に向けて締め付ける締付け具と、
を備えたことを特徴とする電力ケーブル接続部。
【請求項２】
前記円筒構造体は、前記補強絶縁層の端部から離間した位置に取り付けられていることを特徴とする請求項１に記載の電力ケーブル接続部。
【請求項３】
前記円弧帯状部材の内面には、前記ケーブルコアの長手方向と交差する複数の溝が設けられていることを特徴とする請求項１又は２に記載の電力ケーブル接続部。
【請求項４】
前記円弧帯状部材の前記補強絶縁層とは反対側の縁には、前記拘束層の端面に当接し、前記円弧帯状部材が前記補強絶縁層側へ移動することを規制する突部が設けられていることを特徴とする請求項１〜３の何れか一項に記載の電力ケーブル接続部。
【発明の詳細な説明】
【技術分野】
【０００１】
本発明は、電力ケーブル接続部に関する。
【背景技術】
【０００２】
従来、電力ケーブルの接続構造として、電力ケーブルの端部を段剥ぎして露出させたケーブル導体同士を導体接続管で接続し、その接続部分を絶縁補強するように両側のケーブルコアに亘って補強絶縁層（ゴムユニット）を装着した電力ケーブル接続部が知られている。
そして、電力ケーブルを洞道やマンホール等に設置する場合に、負荷変動や年間の気温差によるケーブル導体の熱膨張に伴う伸び出しを吸収させるため、ケーブル接続部をオフセットして配置することが行われる。
【０００３】
そのオフセット形状がケーブル接続部の左右で均等であれば、ケーブル導体の熱膨張に伴う伸び出しによる力（軸力）はケーブル接続部の左右で相殺されるが、オフセット形状がケーブル接続部の左右で非対称である場合、ケーブル接続部の左右に軸力差が生じることになるので、その軸力差に起因してケーブルコアと補強絶縁層とが密着した接続構造が崩れてしまうことがある。
そこで、補強絶縁層の両側においてケーブルコアとケーブルシースとを拘束する拘束装置を取り付けて、ケーブル接続部での軸力差を吸収するようにした電力ケーブル接続部が知られている（例えば、特許文献１参照。）。
【先行技術文献】
【特許文献】
【０００４】
【特許文献１】特開２００６−３０４４１３号公報
【発明の概要】
【発明が解決しようとする課題】
【０００５】
しかしながら、上記特許文献１の場合、金属板からなる拘束装置をケーブルコア及びケーブルシースに直接接触させて固定する構造となっているため、例えば、ケーブル導体の熱膨張収縮に伴いケーブルコアが移動する際に、ケーブルコアが拘束装置の縁に当たって損傷してしまう虞があった。
また、金属板からなる拘束装置をケーブルコア上およびケーブルシース上の双方に装着する必要があるので、接続箱全長が著しく長くなり、地中洞道やマンホールといった既設構造物内への収納に問題が出ることがあった。
【０００６】
本発明の目的は、補強絶縁層によるケーブルコアの拘束を好適に維持することができる電力ケーブル接続部を提供することである。
【課題を解決するための手段】
【０００７】
以上の課題を解決するため、請求項１に記載の発明は、電力ケーブル接続部であって、
２本の電力ケーブルの導体同士を接続した導体接続部の周囲を覆い、前記電力ケーブルのケーブルコアよりも外径を大きく形成した補強絶縁層と、
前記補強絶縁層の両側の端部に接する位置に、それぞれの端部と略同じ外径になるように自己融着性を有するテープ材料を前記ケーブルコアに巻いて形成した拘束層と、
前記拘束層の外周面に、複数の円弧帯状部材を組み付けてなる円筒構造体と、
前記円筒構造体を前記ケーブルコアの軸心に向けて締め付ける締付け具と、
を備えたことを特徴とする。
【０００８】
請求項２に記載の発明は、請求項１に記載の電力ケーブル接続部において、
前記円筒構造体は、前記補強絶縁層の端部から離間した位置に取り付けられていることを特徴とする。
【０００９】
請求項３に記載の発明は、請求項１又は２に記載の電力ケーブル接続部において、
前記円弧帯状部材の内面には、前記ケーブルコアの長手方向と交差する複数の溝が設けられていることを特徴とする。
【００１０】
請求項４に記載の発明は、請求項１〜３の何れか一項に記載の電力ケーブル接続部において、
前記円弧帯状部材の前記補強絶縁層とは反対側の縁には、前記拘束層の端面に当接し、前記円弧帯状部材が前記補強絶縁層側へ移動することを規制する突部が設けられていることを特徴とする。
【発明の効果】
【００１１】
本発明によれば、２本の電力ケーブルを接続した電力ケーブル接続部において、補強絶縁層によるケーブルコアの拘束を好適に維持することができる。
【図面の簡単な説明】
【００１２】
【図１】本実施形態の電力ケーブル接続部を一部断面視して示す側面図である。
【図２】電力ケーブル接続部の一方の拘束層の近傍を示す拡大図である。
【図３】円筒構造体を構成する円弧帯状部材を示す説明図であり、一の方向からの斜視図（ａ）と、他の方向からの斜視図（ｂ）である。
【図４】円筒構造体および締付け具の説明図であり、図６（ｃ）のVI−VI線における矢視図に対応している。
【図５】電力ケーブル接続部の組み立て工程の説明図（ａ）（ｂ）（ｃ）である。
【図６】電力ケーブル接続部の組み立て工程の説明図（ａ）（ｂ）（ｃ）である。
【発明を実施するための形態】
【００１３】
以下、図面を参照して、本発明に係る電力ケーブル接続部の実施形態について詳細に説明する。
図１は、２本の電力ケーブル１０を接続した本実施形態の電力ケーブル接続部１００の構造を一部断面視して示す側面図である。
【００１４】
電力ケーブル１０は、例えば、図１に示すように、中心導体１１と、中心導体１１を図示しない内部半導電層を介して覆うケーブル絶縁体１２と、ケーブル絶縁体１２を覆う外部半導電層１３と、外部半導電層１３を覆う布テープ層１４と、布テープ層１４を覆う金属遮蔽層１５と、金属遮蔽層１５を覆う防食層１６と、を備えている。
この電力ケーブル１０のケーブルコアは、中心導体１１と内部半導電層（図示省略）とケーブル絶縁体１２と外部半導電層１３とで構成されている。
【００１５】
そして、図１、図２に示すように、電力ケーブル接続部１００は、２本の電力ケーブル１０の中心導体１１同士を接続した導体接続層１および接続部半導電層２の周囲を覆う補強絶縁層３と、補強絶縁層３の両側の端部に接する位置にそれぞれ形成した拘束層４と、拘束層４の外周面に取り付けた円筒構造体５と、円筒構造体５をケーブルコアの軸心に向けて締め付ける締付け具６と、を備えている。ここでは、導体接続層１と接続部半導電層２とで導体接続部が構成されている。
また、この電力ケーブル接続部１００は、拘束層４とケーブルコア（布テープ層１４）との段差をなだらかな傾斜状に埋めてなるテーパ層２０と、両ケーブルの金属遮蔽層１５に跨って補強絶縁層３と拘束層４と円筒構造体５と締付け具６とテーパ層２０とを被覆するように導電性テープを巻きつけた遮蔽テープ層３０と、両ケーブルの防食層１６に跨って遮蔽テープ層３０を囲むように取り付けた保護管４０および絶縁筒５０と、遮蔽テープ層３０と保護管４０（および絶縁筒５０）の間に充填した防水コンパウンド６０等を備えて構成されている。
【００１６】
補強絶縁層３は、導体接続部を補強するように、電力ケーブル１０のケーブルコアよりも外径を大きく形成された層である。
この補強絶縁層３は絶縁材料からなり、その内面は導体接続部（導体接続層１および接続部半導電層２）とケーブルコア（ケーブル絶縁体１２、外部半導電層１３）に密着している。
【００１７】
拘束層４は、自己融着性を有するテープ材料をケーブルコアの外部半導電層１３に巻いて形成した層であり、補強絶縁層３の端部と略同じ外径に形成されている。テープ材料をケーブルコアに巻き付けて、テープ材料を積層するように形成した拘束層４は、クッション層としての機能を有している。
また、自己融着性を有するテープ材料は導電性を有しており、そのテープ材料からなる拘束層４は、電界や磁界を遮蔽する機能を有している。
なお、拘束層４に隣接するテーパ層２０も、拘束層４と同じテープ材料を用いて形成されている。
自己融着性を有するテープ材料は、例えば、Ｃテープ（古河電工パワーシステムズ製）を用いることができる。
【００１８】
円筒構造体５は、図２〜図４に示すように、複数（本実施形態では２つ）の円弧帯状部材５１からなる。円弧帯状部材５１は、樹脂製あるいは金属製の部材であり剛性を有している。円弧帯状部材５１の内面は、補強絶縁層３の端部の周面や、拘束層４の外周面とほぼ同じ曲率の曲面（Ｒ面）に形成されている。
この円筒構造体５は、複数（２つ）の円弧帯状部材５１が拘束層４の外周面に周方向に並べられ、略円筒形状を呈するように取り付けられてなる部材である。
そして、拘束層４に組み付けられた円筒構造体５は、補強絶縁層３と接触しないように、補強絶縁層３の端部から離間した位置に取り付けられている。特に、円弧帯状部材５１を拘束層４に取り付ける際に補強絶縁層３とは反対側となる円弧帯状部材５１の縁には、拘束層４の端面に当接し、円弧帯状部材５１が補強絶縁層３側へ移動することを規制する突部５１ａが設けられているので、円筒構造体５の配置がずれて補強絶縁層３と接触してしまうことがないようになっている。
また、円筒構造体５は、巻き付け直後であって自己融着力が比較的低い状態での拘束層４の巻き崩れを防止する機能を有している。
【００１９】
また、円弧帯状部材５１の内面には、ケーブルコアの延在方向と交差する方向に沿う複数の溝５１ｂが設けられている。この溝５１ｂは、円筒構造体５における周方向に沿うように設けられている。
そして、拘束層４に組み付けられた円筒構造体５の内面の複数の溝５１ｂが成す凹凸によって、円筒構造体５と拘束層４との界面の摩擦力を高めて円筒構造体５と拘束層４とのずれを抑制することができるので、後述する締付け具６によって円筒構造体５を拘束層４に良好に圧接して、拘束層４をケーブルコアに強固に固設することができる。
【００２０】
また、円弧帯状部材５１の外面には、複数（本実施形態では５筋）の案内溝５１ｃが設けられている。
そして、複数（２つ）の円弧帯状部材５１を拘束層４の外周面に周方向に並べて取り付けて、略円筒形状を呈する円筒構造体５とした際に、円弧帯状部材５１の案内溝５１ｃが周方向に連なった円周溝になり、後述する締付け具６のバンド６１を案内して通すことが可能になる。
【００２１】
締付け具６は、図２〜図４に示すように、円筒構造体５（円弧帯状部材５１）の案内溝５１ｃに沿って、円筒構造体５の周囲に巻き付けるバンド６１と、そのバンド６１を円筒構造体５に締め付けた状態で固定する結束部６２と、を備えている。
そして、円筒構造体５（円弧帯状部材５１）に設けられている５筋の案内溝５１ｃごとに配されている５つの締付け具６によって、円筒構造体５が拘束層４に締め付けられて固定されている。
【００２２】
次に、本実施形態の電力ケーブル接続部１００を組み立てる工程について説明する。
【００２３】
まず、図５（ａ）に示すように、電力ケーブル１０の端部を段剥ぎして中心導体１１を露出させる。
次いで、図５（ｂ）に示すように、２本の電力ケーブル１０の中心導体１１同士を導体接続層１で接続する。ここで、中心導体１１を接続する手法としては、溶接接続や、導体接続管を用いた圧縮接続などがあるが、本発明では導体接続層１を形成する接続手法は問わない。
また、ケーブル絶縁体１２間との段差を埋めるように、中心導体１１と導体接続層１の外周に、例えば、半導電性テープを巻き付けるなどして接続部半導電層２を設ける（図１参照）。
【００２４】
次いで、図５（ｃ）に示すように、導体接続部の接続部半導電層２とケーブルコア（ケーブル絶縁体１２）の外周に、例えば、工場で予め成形加工されたゴムユニットを装着するなどして、両ケーブルのケーブルコアに跨るように補強絶縁層３を設ける。なお、補強絶縁層３の形成方法としては、ゴムユニットを装着する手法の他に、絶縁テープ巻きによって形成する手法などもあるが、本発明では補強絶縁層３の形成手法は問わない。
【００２５】
次いで、図６（ａ）に示すように、補強絶縁層３の両側の端部に接する位置のケーブルコア（外部半導電層１３）に自己融着性を有するテープ材料を巻き付けて、補強絶縁層３の両端で対を成し、その端部と略同じ外径の拘束層４を設ける。
【００２６】
次いで、図６（ｂ）に示すように、拘束層４の外周面に２つの円弧帯状部材５１を組み付けて、それぞれの拘束層４に円筒構造体５を取り付ける。このとき、円弧帯状部材５１の一方の縁に設けられている突部５１ａを拘束層４の端面に当接させるように位置合わせし、補強絶縁層３の端部から離間した位置に円筒構造体５を取り付ける。
【００２７】
次いで、図６（ｃ）に示すように、円筒構造体５の周囲に締付け具６を取り付け、円筒構造体５を拘束層４に圧接するように結束部６２でバンド６１を締めて、円筒構造体５をケーブルコアの軸心に向けて締め付ける。
このあと順次、テーパ層２０の形成、遮蔽テープ層３０の形成、保護管４０および絶縁筒５０の取り付け、防水コンパウンド６０の充填等を行って、電力ケーブル接続部１００（図１参照）が組み立てられる。
【００２８】
このような構成の電力ケーブル接続部１００において、自己融着性を有するテープ材料を巻き付けて形成した拘束層４は、円筒構造体５をケーブルコアの軸心に向けて締め付ける締付け具６によってケーブルコアに対し圧着されるので、時間の経過とともに自己融着が進んでより強固な拘束層４となる。
つまり、より強固になった拘束層４は補強絶縁層３を両側から挟む壁となり、補強絶縁層３とケーブルコアとが一体となるように補強絶縁層３を両側から強固に拘束することが可能になるので、補強絶縁層３がケーブルコアの軸方向にずれてしまうことを防止することができる。そして、補強絶縁層３によってケーブルコアを拘束した状態を好適に維持することができる。
また、拘束層４は、円筒構造体５と締付け具６とによって周囲を固められているので、中心導体１１が熱膨張して軸力が増大する場合には、中心導体１１（ケーブルコア）と円筒構造体５（および締付け具６）とに挟まれている拘束層４は締め固められ、より一層強固になる。さらに、防水コンパウンド６０の熱膨張による圧力も円筒構造体５に加わり一層強固になる。その結果、拘束層４がケーブルコアを把持する力や、拘束層４が補強絶縁層３を両側から拘束する力が高まる。
【００２９】
特に、補強絶縁層３の両側において、拘束層４を円筒構造体５と締付け具６とによって締め付けるようにケーブルコアに固設して、その拘束層４でケーブルコアを拘持・拘束しているので、電力ケーブル接続部１００が左右非対称のオフセット形状で設置されている場合に、電力ケーブル１０の中心導体１１の熱膨張に伴って生じる補強絶縁層３の左右の軸力差を吸収することができ、補強絶縁層３が導体接続部（導体接続層１、接続部半導電層２）とケーブルコア（ケーブル絶縁体１２、外部半導電層１３）に密着した拘束状態を好適に維持することができる。
【００３０】
このように、補強絶縁層３の両側に設けられた拘束層４を、円筒構造体５と締付け具６とによってケーブルコアに固設した構造の電力ケーブル接続部１００であれば、補強絶縁層３によるケーブルコアの拘束を好適に維持することができる。
【００３１】
また、拘束層４に取り付けられた円筒構造体５は、補強絶縁層３と接触しないように、補強絶縁層３の端部から離間した位置に取り付けられているので、例えば、電力ケーブル１０の中心導体１１の熱膨張収縮に伴いケーブルコアが移動する際に、剛性を有している円筒構造体５が補強絶縁層３に当たって損傷させてしまうことがない。
ところで、円筒構造体５が補強絶縁層３を損傷させることがないようにして、円筒構造体５が補強絶縁層３と接触した状態で拘束層４に取り付けられている場合に、補強絶縁層３の左右に軸力差が生じると、円筒構造体５（および締付け具６）による拘束力が補強絶縁層３に主に作用してしまう。そのために、円筒構造体５の拘束層４に対する拘束力が小さくなってしまい、補強絶縁層３の左右の軸力差を吸収することができずに、補強絶縁層３とケーブルコアとに界面ずれが生じて、補強絶縁層３とケーブルコアとが密着した接続構造が崩れてしまう虞がある。
つまり、本実施形態の電力ケーブル接続部１００において、拘束層４に取り付けられている円筒構造体５は、補強絶縁層３と接触しないように配設されているので、円筒構造体５および締付け具６によって強固に拘束されている拘束層４は、補強絶縁層３を両側から挟んで強固に拘束して、補強絶縁層３がケーブルコアの軸方向にずれてしまうことを防止することができ、補強絶縁層３によってケーブルコアを拘束した状態を好適に維持することができる。
【００３２】
以上のように、本実施形態の電力ケーブル接続部１００であれば、補強絶縁層３によるケーブルコアの拘束を好適に維持することができる。
【００３３】
なお、以上の実施の形態においては、２つの円弧帯状部材５１を組み合わせて使用して略円筒形状の円筒構造体５を構成するようにしたが、本発明はこれに限定されるものではなく、例えば、３つ以上の円弧帯状部材５１を組み合わせて円筒構造体５を構成するようにしてもよい。
【００３４】
また、以上の実施の形態においては、円弧帯状部材５１の内面に設けられた溝５１ｂは、円筒構造体５における周方向に沿う円周溝であるとしたが、本発明はこれに限定されるものではなく、例えば、螺旋状に形成された溝５１ｂであってもよい。
【００３５】
また、以上の実施の形態においては、円筒構造体５をケーブルコアの軸心に向けて締め付ける締付け具６は、バンド６１を結束部６２で締め付ける構成を例に説明したが、本発明はこれに限定されるものではなく、バンド構造ではない他の締付け具であってもよい。
【００３６】
また、その他、具体的な細部構造等についても適宜に変更可能であることは勿論である。
【符号の説明】
【００３７】
１      導体接続層（導体接続部）
２      接続部半導体層（導体接続部）
３      補強絶縁層
４      拘束層
５      円筒構造体
５１    円弧帯状部材
５１ａ  突部
５１ｂ  溝
５１ｃ  案内溝
６      締付け具
６１    バンド
６２    結束部
１０    電力ケーブル
１１    中心導体
１２    ケーブル絶縁体
１３    外部半導電層
１４    布テープ層
１５    金属遮蔽層
１６    防食層
１００  電力ケーブル接続部
【図１】
2015216807.tif 000003
【図２】
2015216807.tif 000004
【図３】
2015216807.tif 000005
【図４】
2015216807.tif 000006
【図５】
2015216807.tif 000007
【図６】
2015216807.tif 000008